(57)【要約】      （修正有）【課題】子供やお年寄りであっても服用を失敗することがなく、使い易い工夫を施し、また、処方された薬の服用時間・分量・種類などを確実に判別でき、取り違えることのない薬用包装袋を提供する。【解決手段】四角形状の包装材２を三角形状に折り畳むとともに、その内側に所定量又は所定数の薬３を包み込み、周囲を封止して封止部４を設ける。さらに、袋内の薬３を判別するための着色又は判別線を設ける。【選択図】図１
0003152268.tif 000002
【実用新案登録請求の範囲】
【請求項１】
四角形状又は円形状の包装材が三角形状又は半円形状に折り畳まれるとともに、その内側に所定量又は所定数の薬が包み込まれ、周囲が封止されていることを特徴とする薬用包装袋。
【請求項２】
鋭角又は略鋭角をなす角部の先端部分に開封口の目印となる切断線が設けられていることを特徴とする請求項１記載の薬用包装袋。
【請求項３】
前記切断線の長さが５ｍｍ〜２ｃｍであることを特徴とする請求項２記載の薬用包装袋。
【請求項４】
袋内の薬を判別するための着色が施されていること特徴とする請求項１ないし請求項３記載のいずれか一項に記載の薬用包装袋。
【請求項５】
袋内の薬を判別するための判別線が設けられていることを特徴とする請求項１ないし請求項４記載のいずれか一項に記載の薬用包装袋。
【考案の詳細な説明】
【技術分野】
【０００１】
本考案は、粉薬などの内服薬を包装する薬用包装袋であって、袋の一部を切断して開封し、袋から内服薬を直接口に投入して服用するようにした薬用包装袋に関するものである。
【背景技術】
【０００２】
医師の処方により薬局で受け取る内服薬には、粉薬・顆粒状・カプセル状・錠剤などの形態がある。粉薬や顆粒状のものは、ハトロン紙などの薄い素材に１回の服用分が包装され、周囲が熱圧着されて密封される。使用の際は、包装袋の一部を切断して開封し、中の薬を直接口に投入して服用するようになっている。カプセル状や錠剤タイプのものは、一枚のシートの中に閉じ込めるように包装され（ＰＨＰ包装）、シートから１回の服用分を切り出して服用するようになっている。かかる内服薬は、処方箋や服用方法と一緒に所定の大きさの収納袋にまとめて収納され、渡される。服用方法は収納袋の目に付く所に印刷される場合もある。
【０００３】
内服薬の包装袋としては、種々のものが提案されている。例えば、下記の特許文献１には、包装袋の開封を容易にする手段として、図６に示すように、包装袋２０にミシン目等の切目線２１を予め設けておくことが記載されている。
【先行技術文献】
【特許文献】
【０００４】
【特許文献１】実開平４−８９７６０号公報
【考案の概要】
【考案が解決しようとする課題】
【０００５】
しかしながら、切目線により包装袋の開封を容易にすることができても、開封後、特に子供やお年寄りなどにとって、袋の中の薬を口の中に投入する動作が大変難しい場合がある。例えば、袋を持った手を大きく持ち上げる動作に支障があったり、手が震えたりすると、袋の開口部が大きいために、薬が口の外にこぼれてしまう問題があった。このため、規定の分量を服用できなくなり、また、周囲を汚してしまうことにもなっていた。
【０００６】
さらに、服用方法を印刷した紙を渡されたり、収納袋の表に服用方法が印刷されてあっても、文字が読みにくくなったお年寄りなどにとっては、薬を取り違えて服用してしまうおそれがあった。
【０００７】
本考案は上記課題に鑑みてなされたもので、子供やお年寄りであっても服用を失敗することがなく、使い易い工夫を施した薬用包装袋を提供すること、また、処方された薬の服用時間・分量・種類などを確実に判別でき、取り違えることのない薬用包装袋を提供することを目的とする。
【課題を解決するための手段】
【０００８】
上記課題を解決するために、本考案に係る薬用包装袋は、
四角形状又は円形状の包装材が三角形状又は半円形状に折り畳まれるとともに、その内側に所定量又は所定数の薬が包み込まれ、周囲が封止されていることを第１の特徴とする。
【０００９】
本考案に係る薬用包装袋によると、袋全体が三角形状又は半円形状をなすから、鋭角又は略鋭角をなす角部の先端部分を切断して開封し、当該角部を口の中まで容易に進入させることができる。後は、袋の開封口を下に傾けるだけで、袋の中の薬を容易に口の中に投入することができる。手を大きく持ち上げて上方に位置する袋から上向きの口の中に対し薬を落とし込むようにして投入する必要がなくなる。すなわち、手を持ち上げなくても、手が多少震えたとしても、口の中に袋の開封側の角部を進入させるだけで、薬を容易に投入することができる。なお、円形状には楕円形状も含まれる。
【００１０】
本考案に係る薬用包装袋は、鋭角又は略鋭角をなす角部の先端部分に開封口の目印となる切断線が設けられていることを第２の特徴とする。切断線を目印にして、先端部分を容易に切断することができる。
【００１１】
本考案に係る薬用包装袋は、前記切断線の長さが５ｍｍ〜２ｃｍであることを第３の特徴とする。５ｍｍ以上であれば、開封口が小さ過ぎず、袋の中の薬の流動性を妨げず、２ｃｍ以下であれば、口の中に進入させるのに十分な角部を確保できる。
【００１２】
本考案に係る薬用包装袋は、袋内の薬を判別するための着色が施されていることを第４の特徴とする。着色の存在により、袋内の薬を確実に判別することができ、薬の取り違いを防ぐことができる。例えば、着色（赤・青・黄など）により、服用時間（朝・昼・夜・就寝前・食間）、薬の種類などを判別できる。
【００１３】
本考案に係る薬用包装袋は、袋内の薬を判別するための判別線が設けられていることを第５の特徴とする。判別線としては、色、模様などがある。判別線の存在により、袋内の薬を確実に判別することができ、薬の取り違いを防ぐことができる。例えば、判別線の色（赤・青・黄など）により、服用時間（朝・昼・夜・就寝前・食間）、薬の種類などを判別できる。
【考案の効果】
【００１４】
以上説明したように、本考案に係る薬用包装袋によると、四角形状又は円形状の包装材を三角形状又は半円形状に折り畳むとともに、その内側に所定量又は所定数の薬を包み込み、周囲を封止してなる構成としたから、使用の際、鋭角又は略鋭角をなす角部の先端部分を切断して開封し、当該角部を口の中まで容易に進入させて、袋の中の薬を容易に口の中に投入することができる。これにより、服用を失敗することがなく、子供やお年寄りによって使い易いが非常によく、安心して薬を服用できるという優れた効果を奏する。
【００１５】
また、本考案に係る薬用包装袋によると、袋内の薬を判別するための着色や判別線を設ける構成としたから、着色や判別線の存在により、袋内の薬を確実に判別して、薬の取り違いを防ぐことができ、子供やお年寄りにとって非常に安心して薬を服用できるという優れた効果を奏する。
【図面の簡単な説明】
【００１６】
【図１】本考案の第１の実施形態を示すもので、本考案に係る薬用包装袋の側面図、
【図２】（Ａ）乃至（Ｄ）は、図１に示す薬用包装袋の形成手順を示す説明図、
【図３】（Ａ）および（Ｂ）は、図１に示す薬用包装袋の使用方法を示す説明図、
【図４】本考案の第２の実施形態を示すもので、異なる色に着色された３種類の薬用包装袋を示す側面図、
【図５】本考案の第３の実施形態を示すもので、色の異なる判別線が設けられた３種類の薬用包装袋を示す側面図、
【図６】従来の薬用包装袋を示す側面図である。
【考案を実施するための最良の形態】
【００１７】
以下、本考案を実施するための最良の形態について図面を参照して説明する。図１ないし図３は、本考案の第１実施形態を示すもので、これらの図において、符号１は薬用包装袋を示している。
【００１８】
薬用包装袋１は、ハトロン紙などの透明又は半透明の包装材２からなり、図１に示すように全体が三角形状をなしており、その内部に１回の服用分の所定分量又は個数の薬３が収容されている。この薬用包装袋１の周囲には、収容された薬３を密封するための封止部４が設けられている。また、薬用包装袋１の鋭角をなす角部５には、服用の際に、先端部分５ａを切断する目印となる切断線６が設けられている。切断線６の長さは５ｍｍ〜２ｃｍであることが好ましい。１回の服用分として収容可能な薬３の種類としては、粉薬・顆粒・カプセル・錠剤のいずれか一又は複数の組み合わせが考えられる。また、医師の処方により薬局などで調剤される薬の他、市販の薬であってもよい。
【００１９】
上記薬用包装袋１は、図２（Ａ）に示すようにまず所定の長さをもつ四角形状のハトロン紙などの透明又は半透明の包装材２を用意し、次ぎに図２（Ｂ）に示すように同包装材２を三角形状に折り畳み、そして図２（Ｃ）に示すように薬３を包み込み、最後に図２（Ｄ）に示すように周囲を熱圧着や接着手段により封止し、封止部４を形成する。必要に応じ切断線６を設ける。
【００２０】
上記薬用包装袋１は、次のようにして用いる。図３（Ａ）に示すようにまず切断線６に沿って角部５の先端部分５ａを切断し、次ぎに包装袋１を手に持ち、図３（Ｂ）に示すように開封口７のある角部５を口Ｍの中に進入させ、そのまま包装袋１を傾けて、中の薬３を口Ｍの中へ投入する。この時口Ｍを少しだけ上に傾ければ薬３を投入し易くなる。後は水等と一緒に胃の中へ送り込めばよい。
【００２１】
本実施形態によれば、使用の際、鋭角をなす角部５の先端部分５ａを切断して開封し、当該角部５を口Ｍの中まで容易に進入させて、袋の中の薬３を容易に口Ｍの中に投入することができる。この時、切断線６の存在によって、角部５の先端部分５ａを容易に切断することができる。
【００２２】
図４は本考案の第２実施形態を示すもので、同図において、図１に示す薬用包装袋１と同一部材には同一符号を付してその説明を省略する。
【００２３】
本実施形態においては、薬用包装袋の一部に服用する薬を判別するための異なる着色１１、１２、１３が袋毎に施されている。例えば、第１の薬用包装袋１０Ａの着色１１は朝用として赤色、第２の薬用包装袋１０Ｂの着色１２は昼用として黄色、第３の薬用包装袋１０Ｃの着色１３は夜用として青色にそれぞれ設定することができる。これにより、薬用包装袋１０Ａ〜１０Ｃを異なる着色で区別することで、たとえ文字が読みづらくなっても、着色によって薬を確実に判別することができ、昼用の薬を間違って朝に服用したり、朝用の薬を間違って夜に服用するといった失敗を確実に防ぐことができる。
【００２４】
図５は本考案の第３実施形態を示すもので、同図において、図１に示す薬用包装袋１と同一部材には同一符号を付してその説明を省略する。
【００２５】
本実施形態においては、薬用包装袋の封止部４上に服用する薬を判別するための判別線１５、１６、１７が袋毎に施されている。例えば、第１の薬用包装袋１４Ａの判別線１５は朝用として赤色、第２の薬用包装袋１４Ｂの判別線１６は昼用として黄色、第３の薬用包装袋１４Ｃの判別線１７は夜用として青色を印刷することができる。薬用包装袋１４Ａ〜１４Ｃを異なる３色の判別線で区別することで、薬の取り違いを確実に防ぐことができる。
【００２６】
上に述べた各実施形態においては、四角形状の包装材２を三角形状に折り畳んで包装袋としたが、円形状の包装材を半円形状に折り畳んで包装袋としてもよい。この場合、両端の略鋭角状の角部のいずれかに先端部を切断する切断線を設けてよい。
【００２７】
また、上に述べた着色や判別線は、朝用・昼用・夜用の３種類だけでなく、就寝前用・食間用として区別することももちろん可能である。また、判別を確実にするために、同系統に属する色ではなく、明暗のはっきりした色、異なる系統に属する色を区別して使用することが望ましい。
【００２８】
さらに、上に述べた着色や判別線は、本考案に係る三角形状の包装袋だけでなく、従来と同じ形状、すなわち四角形状の包装袋にも適用可能であり、従来形状の包装袋に対しても薬の取り違いを防ぐことができる。
【産業上の利用可能性】
【００２９】
本考案に係る薬用包装袋は、粉薬などの内服薬を包装する薬用包装袋であって、袋の一部を切断して開封し、袋から内服薬を直接口に投入するための薬用包装袋として利用可能である。
【符号の説明】
【００３０】
１，１０Ａ，１０Ｂ，１０Ｃ，１４Ａ，１４Ｂ，１４Ｃ  薬用包装袋
２  包装材
３  薬
４  封止部
５  角部
５ａ  先端部分
６  切断線
７  開封口
１１，１２，１３  着色
１５，１６，１７  判別線
Ｍ  口
【図１】
0003152268.tif 000003
【図２】
0003152268.tif 000004
【図３】
0003152268.tif 000005
【図４】
0003152268.tif 000006
【図５】
0003152268.tif 000007
【図６】
0003152268.tif 000008